(57)【要約】【課題】テープ基材が薄いプラスチックフィルムを用いた場合においても、押圧転写部からの転写テープ外れを防止し、安定した転写作業が可能である塗膜転写具を提供する。【解決手段】繰出し回転部と巻取り回転部と転写ヘッドを有し、転写テープが転写ヘッドを経由して被転写面に転写される塗膜と残りのテープ基材とに分かれ、前記テープ基材が前記繰出し回転部から巻取り回転部に巻き取られるようになっており、前記転写ヘッドの先端に押圧転写部が形成され、前記転写ヘッドのテープ基材が反転して走行する上面部の幅方向両端部にテープ規制部材が設けられている塗膜転写具において、前記押圧転写部の幅方向両端部の延長上に、テープ規制部材が前記転写ヘッドと一体的または別体に突設され、かつ前記テープ規制部材が弾性変形可能であることを特徴とする塗膜転写具。【選択図】        図２
2005271493.tif 000002
【特許請求の範囲】
【請求項１】
繰出し回転部と巻取り回転部と転写ヘッドを有し、転写テープが転写ヘッドを経由して被転写面に転写される塗膜と残りのテープ基材とに分かれ、前記テープ基材が前記繰出し回転部から前記巻取り回転部に巻き取られるようになっており、前記転写ヘッドの先端に押圧転写部が形成され、前記転写ヘッドのテープ基材が反転して走行する上面部の幅方向両端部にテープガイドが設けられている塗膜転写具において、前記押圧転写部の幅方向両端部の延長上に、テープ規制部材が前記転写ヘッドと一体的または別体に突設され、かつ前記テープ規制部材が弾性変形可能であることを特徴とする塗膜転写具。
【発明の詳細な説明】
【技術分野】
【０００１】
本発明は、転写テープ基材の表面にコーティングされた修正用塗膜、接着用粘着剤、装飾用塗膜等を被転写面に転写する為に用いる塗膜転写具の転写ヘッドの技術分野に属する。
【背景技術】
【０００２】
従来の塗膜転写具の転写ヘッドは、前記転写ヘッドの先端部に押圧転写部が形成され、未使用の転写テープが走行する下面部および転写後の基材テープが反転して走行する上面部から構成されるとともに、前記転写ヘッドの下面部及び上面部の幅方向両端部に、転写テープの幅方向の揺動を規制するテープガイドが設けられている。一方近年塗膜転写具のコンパクト化あるいは転写テープの長尺化が要望されるようになってきており、それに伴い転写テープの薄膜化が求められている。転写テープの薄膜化のためには、テープ基材も薄膜化する必要があり、テープ基材としてプラスチックフィルムが使用されている。このプラスチックフィルムをテープ基材とする塗膜転写具において、転写テープの転写ヘッドからの逸脱を防止すべく、前記転写ヘッドの上面部において、互いのテープガイドが上方に向かって幅狭化する形状とすることが提案されている。（例えば特許文献１参照）
また、塗膜転写テープの緩みによる外れを可及的に防止すべく、転写ヘッドの上面部において互いに相対し、かつ先端部が押圧転写部より前方に突出したテープガイドも提案されている。（例えば特許文献２参照）
【特許文献１】特開平１０−２９７１７８号公報
【特許文献２】特開２０００−３１３１９７号公報
【発明の開示】
【発明が解決しようとする課題】
【０００３】
しかしながら、上記従来の塗膜転写具におけるテープガイドでは、テープ基材として薄いプラスチックフィルムを用いた場合、転写テープの裏面は離型剤処理を施しているために動摩擦係数が低くなっていることに加え、紙基材に比べて剛性が低いために、転写テープに幅方向の力が作用して、転写後のテ−プ基材における幅方向の揺動を、テープガイドによって規制できても、前記押圧転写部において転写テープの揺動・蛇行を充分に規制できず、転写ヘッドから外れる不具合が発生し、走行不良や転写不良、強いては使用不可能になる場合があった。
【０００４】
また、転写ヘッドの上面部において互いに相対し、かつ先端部が押圧転写部より前方に突出したテープガイドを使用した場合であっても、転写テープの外れに有効であるが、前記先端部が押圧転写部より前方に突出したテープガイドが障害となって、例えば、塗膜転写具を被転写面に対して垂直な姿勢で転写させようとすると、塗膜が被転写面に接触せず、転写不良となってしまう場合があり、ある一定の角度でなければ転写操作ができないなど、塗膜転写具の転写角度が規制されてしまうという不具合があった。
【０００５】
本発明は、転写テープの基材として薄いプラスチックフィルムを用いた場合でも、転写テープを幅方向に揺動させる力が作用したとき、押圧転写部での転写テープの揺動・蛇行による外れを防止し、安定した転写テープの走行、転写作業および使用不可能状態の回避を行うができ、かつ通常の使用において塗膜転写具の転写角度の規制を受けることのない塗膜転写具の転写ヘッドを提供することを目的とするものである。
【課題を解決するための手段】
【０００６】
上記目的を達成するために、本発明は、繰出し回転部と巻取り回転部と転写ヘッドを有し、転写テープが転写ヘッドを経由して被転写面に転写される塗膜と残りのテープ基材とに分かれ、前記テープ基材が前記繰出し回転部から巻取り回転部に巻き取られるようになっており、前記転写ヘッドの先端に押圧転写部が形成され、前記転写ヘッドのテープ基材が反転して走行する上面部の幅方向両端部にテープガイドが設けられている塗膜転写具において、前記押圧転写部の幅方向両端部の延長上に、テープ規制部材が前記転写ヘッドと一体的または別体に突設され、かつ前記テープ規制部材が弾性変形可能であることを特徴とする塗膜転写具の転写ヘッドから構成されている。
【発明の効果】
【０００７】
本発明によれば、前記転写ヘッドの押圧転写部の幅方向両端部の延長上に、テープ規制部材が前記転写ヘッドと一体的または別体に突設され、かつ前記テープ規制部材が弾性変形可能であるので、転写操作時に転写テープに幅方向の力が作用しても、転写テープが揺動・蛇行して押圧転写部から外れることを防止し、安定した転写テープの走行および塗膜の転写作業が可能となる。また、前記テープ規制部材が弾性変形可能であるので、転写操作時に前記押圧転写部より前方に突出したテープ規制部材が弾性変形し、前記押圧転写部において塗膜が被転写面に圧接可能な状態となるため、転写不良となることがない。
【発明を実施するための最良の形態】
【０００８】
以下に、本発明の実施形態を図面に基づいて説明する。
【０００９】
図１は、本発明の塗膜転写具１の正面図および底面図である。図２は図１における転写ヘッドの詳細２面図であり、図２（ａ）、図２（ｂ）はそれぞれ転写時の転写ヘッドの状態を示す部分拡大断面図および部分拡大斜視図である。この塗膜転写具に使用される転写テープの構成、転写テープを塗膜転写具に回転可能に取り付ける方法、および塗膜を被転写面に転写する方法は、従来のものと同様であるので説明を省略する。
【００１０】
この塗膜転写具１は、本体２と前記本体２に取り付けられ、かつ前記本体２から外部に突出した転写ヘッド３を有する。前記転写ヘッド３の先端部には幅方向に細長い押圧転写部４が形成され、前記転写ヘッド３のテープ基材が反転して走行する上面部５の幅方向両端部にはテープガイド６、６が互いに平行となるように一体に並設されている。さらに前記押圧転写部４の幅方向両端部の延長上に、テープ規制部材７、７が前記転写ヘッドと一体的または別体に突設されている。前記テープ規制部材７、７は転写操作時に、押圧転写部４が被転写面に直接圧接できる位置まで弾性変形可能に構成されている。
【００１１】
本体１を移動させながら塗膜を被転写面に転写させるとき、この転写ヘッド３の押圧転写部４および上面部５を走行することとなる転写後のテープ基材に対して、幅方向に移動させる力がかかったとき、転写後のテープ基材の走行が最も不安定となる押圧転写部４に、前方に突出するテープ規制部材７、７が設けられていることによって、テープ基材の幅方向の揺動・蛇行はより効果的に規制され、テープ基材のテープ規制部材７、７の乗り越えを防止し、安定した転写テープの走行および転写作業が可能となる。
【００１２】
さらに、前記テープ規制部材７，７が弾性変形可能であるので、転写操作時に前記押圧転写部４より前方に突出したテープ規制部材７，７が、押圧転写部４が被転写面に直接圧接できる位置まで変形し、前記押圧転写部４において塗膜が被転写面に圧接可能な状態となるため、転写作業の妨げとなることなくスムースな転写操作が可能となる。
【図面の簡単な説明】
【００１３】
【図１】本発明の実施例である塗膜転写具の正面図および底面図を示す。
【図２】図２は図１における塗膜転写具の転写ヘッドの詳細２面図であり、図２（ａ）、図２（ｂ）はそれぞれ転写時の転写ヘッドの状態を示す部分拡大断面図および部分拡大斜視図である。
【符号の説明】
【００１４】
１    塗膜転写具
２    本体
３    転写ヘッド
４    押圧転写部
５    上面部
６    テープガイド
７    テープ規制部材
【図１】
2005271493.tif 000003
【図２】
2005271493.tif 000004